(57)【要約】【課題】  いわゆる音鳴きといった積層部品に起因する雑音を、積層部品や実装位置の変更によらずに効果的に低減することが可能なフレキシブル基板を提供すること。【解決手段】  このフレキシブル基板１１１は、コンデンサ１１３を搭載するためのフレキシブル基板であって、当該フレキシブル基板１１１は可撓性を有しており、コンデンサ１１３を搭載するための搭載領域と、当該搭載領域を囲繞するように穴１１１ａが形成されている振動伝達抑制領域と、を備える【選択図】  図３
2007053248.tif 000002
【特許請求の範囲】
【請求項１】
積層部品を搭載するためのフレキシブル基板であって、
当該フレキシブル基板は可撓性を有しており、
前記積層部品を搭載するための搭載領域と、当該搭載領域を囲繞するように形成されている振動伝達抑制領域と、を備えることを特徴とするフレキシブル基板。
【請求項２】
前記振動伝達抑制領域は、穴又は切り込みによって形成されていることを特徴とする請求項１に記載のフレキシブル基板。
【請求項３】
前記振動伝達抑制領域は、凹部によって形成されていることを特徴とする請求項１に記載のフレキシブル基板。
【請求項４】
積層部品を搭載するためのフレキシブル基板に前記積層部品を搭載してなる実装構造であって、
当該フレキシブル基板は可撓性を有しており、前記積層部品を搭載するための搭載領域と、当該搭載領域を囲繞するように形成されている振動伝達抑制領域と、を備え、
前記搭載領域に前記積層部品が実装されていることを特徴とする実装構造。
【請求項５】
複数の前記積層部品が互いに近接して実装され、当該実装されている複数の積層部品の集合体を囲繞するように前記振動伝達抑制領域が形成されていることを特徴とする請求項４に記載の実装構造。
【請求項６】
表示パネルと当該表示パネルに電気的に接続されるフレキシブル基板とを備える表示ユニットであって、
前記フレキシブル基板は、
積層部品を搭載するための基板であって可撓性を有しており、
前記積層部品を搭載するための搭載領域と、当該搭載領域を囲繞するように形成されている振動伝達抑制領域と、を有することを特徴とする表示ユニット。
【請求項７】
表示パネルと当該表示パネルに電気的に接続されるフレキシブル基板とを備える表示ユニットを具備する携帯用電子機器であって、
前記フレキシブル基板は、
積層部品を搭載するための基板であって可撓性を有しており、
前記積層部品を搭載するための搭載領域と、当該搭載領域を囲繞するように形成されている振動伝達抑制領域と、を有することを特徴とする携帯用電子機器。
【発明の詳細な説明】
【技術分野】
【０００１】
本発明は、フレキシブル基板、そのフレキシブル基板に積層部品を実装した実装構造、そのフレキシブル基板を備える表示ユニット及び携帯用電子機器に関する。
【背景技術】
【０００２】
液晶表示パネルといった表示パネルに電気的に接続され、所定の電子部品が実装されるフレキシブル基板がある（例えば、下記特許文献１参照）。
【特許文献１】特開２００４−２０７０３号公報
【発明の開示】
【発明が解決しようとする課題】
【０００３】
上述したフレキシブル基板や液晶表示パネルが用いられる情報機器等では、電源を投入すると雑音が発生する場合がある。このような雑音を低減させるためには、その音源を特定して対策することが必要となる。この雑音の音源としては、例えば冷却ファンやハードディスクといったようなものが考えられ、それらの作動音が雑音となっている場合がある。また、上述したフレキシブル基板に実装される電子部品が音源となっている場合もある。例えば、電子部品として積層部品を使用するとその電界方向に積層部品が変形するため、電圧が変動する場合に積層部品の歪みが周期的に発生する場合がある。この周期的な歪が雑音発生の一因となっていると考えられることから、雑音低減対策としては積層部品自体の改良や、積層部品のフレキシブル基板上への実装位置の変更といった対策がなされている。
【０００４】
しかしながら、積層部品に手を加えて雑音対策をする場合には積層部品の特性に影響を与える場合があり、常に採用可能なものではない。また、フレキシブル基板上への実装位置を変更することで雑音対策をする場合にも、回路構成等によって回路素子は異なることから常に効果的なものではない。
【０００５】
そこで本発明では、いわゆる音鳴きといった積層部品に起因する雑音を、積層部品や実装位置の変更によらずに効果的に低減することが可能なフレキシブル基板、実装構造、表示ユニット、及び携帯用電子機器を提供することを目的とする。
【課題を解決するための手段】
【０００６】
本発明に係るフレキシブル基板は、積層部品を搭載するためのフレキシブル基板であって、当該フレキシブル基板は可撓性を有しており、積層部品を搭載するための搭載領域と、当該搭載領域を囲繞するように形成されている振動伝達抑制領域と、を備えることを特徴とする。
【０００７】
本発明によれば、積層部品を搭載する搭載領域を囲繞するように振動伝達抑制領域が形成されているので、積層部品に起因する振動の他の領域への伝播を効果的に抑制できる。
【０００８】
また本発明に係るフレキシブル基板では、振動伝達抑制領域が穴又は切り込みによって形成されていることも好ましい。穴又は切り込みによってフレキシブル基板の一部が不連続な状態となって、より効果的に積層部品に起因する振動の他の領域への伝播を抑制できる。
【０００９】
また本発明に係るフレキシブル基板では、振動伝達抑制領域が凹部によって形成されていることも好ましい。凹部によってフレキシブル基板の一部が薄くなるので、より効果的に積層部品に起因する振動の他の領域への伝播を抑制できる。
【００１０】
本発明に係る実装構造は、積層部品を搭載するためのフレキシブル基板に積層部品を搭載してなる実装構造であって、当該フレキシブル基板は可撓性を有しており、積層部品を搭載するための搭載領域と、当該搭載領域を囲繞するように形成されている振動伝達抑制領域と、を備え、搭載領域に積層部品が実装されていることを特徴とする。
【００１１】
本発明によれば、積層部品を実装している搭載領域を囲繞するように振動伝達抑制領域が形成されているので、積層部品に起因する振動の他の領域への伝播を効果的に抑制できる。
【００１２】
また本発明に係る実装構造では、複数の積層部品が互いに近接して実装され、当該実装されている複数の積層部品の集合体を囲繞するように振動伝達抑制領域が形成されていることも好ましい。複数の積層部品の集合体を囲んで振動伝達抑制領域が形成されているので、個々の積層部品それぞれに対応させて振動伝達抑制領域を形成するのに比較してスペース効率を高めることができる。
【００１３】
本発明に係る表示ユニットは、表示パネルと当該表示パネルに電気的に接続されるフレキシブル基板とを備える表示ユニットであって、フレキシブル基板は、積層部品を搭載するための基板であって可撓性を有しており、積層部品を搭載するための搭載領域と、当該搭載領域を囲繞するように形成されている振動伝達抑制領域と、を有することを特徴とする。
【００１４】
本発明に係る携帯用電子機器は、表示パネルと当該表示パネルに電気的に接続されるフレキシブル基板とを備える表示ユニットを具備する携帯用電子機器であって、フレキシブル基板は、積層部品を搭載するための基板であって可撓性を有しており、積層部品を搭載するための搭載領域と、当該搭載領域を囲繞するように形成されている振動伝達抑制領域と、を有することを特徴とする。
【００１５】
本発明によれば、積層部品を搭載する搭載領域を囲繞するように振動伝達抑制領域が形成されているので、積層部品に起因する振動の他の領域への伝播を効果的に抑制できる。
【発明の効果】
【００１６】
本発明によれば、積層部品を搭載する搭載領域を囲繞するように振動伝達抑制領域が形成されているので、積層部品に起因する振動の他の領域への伝播を効果的に抑制できる。従って、いわゆる音鳴きといった積層部品に起因する雑音を、積層部品や実装位置の変更によらずに効果的に低減することが可能となる。
【発明を実施するための最良の形態】
【００１７】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１８】
本発明の実施形態である表示ユニットについて図１を参照しながら説明する。図１は表示ユニット１０の構成を示すための概略平面図である。表示ユニット１０は、回路部１１と表示部１２とを備えている。
【００１９】
回路部１１は、可撓性を有するフレキシブル基板１１１に、コンデンサ１１３（積層部品）とドライバＩＣ１１４とが実装されている。ドライバＩＣ１１４は、表示部１２の表示パネル１２１を駆動するためのドライバである。
【００２０】
コンデンサ１１３は積層型の電子部品であって、表示パネル１２１を駆動するためのバイアス用（チャージポンプ、ＤＣ／ＤＣコンバータ）に配置されている。コンデンサ１１３は、１６０８サイズ又は１００５サイズの微小な積層部品である。
【００２１】
フレキシブル基板１１１の、表示パネル１２１と接続されている部分と反対側にはコネクタ１１２が設けられており、他の回路部分と接続可能なように構成されている。
【００２２】
表示部１２は、液晶表示パネルである表示パネル１２１を有している。表示パネル１２１は回路部１１によって駆動され、その表示内容が制御される。
【００２３】
表示ユニット１０はこのように、表示パネル１２１とその表示パネル１２１に電気的に接続されるフレキシブル基板１１１とを備えるものであって、携帯用電子機器に適用される。携帯用電子機器としては、図２の（ａ）に示すような音楽プレーヤー２（携帯用電子機器）や、図２の（ｂ）に示すような携帯電話機３（携帯用電子機器）が例示される。
【００２４】
引き続いて、フレキシブル基板１１１について詳細に説明する。図３は、フレキシブル基板１１１のコンデンサ１１３近傍を拡大した図である。図３に示すように、コンデンサ１１３の周囲には穴１１１ａが１２個形成されている。それぞれの穴１１１ａは回路構成に影響を与えないように、かつコンデンサ１１３を囲繞するように設けられている。
【００２５】
従って、コンデンサ１１３を搭載するための搭載領域を、１２個の穴１１１ａが囲繞するようになっている。これらの穴１１１ａはコンデンサ１１３の振動を、その外側に伝播することを抑制するように形成されており、本発明における振動伝達抑制領域を形成している。
【００２６】
それぞれの穴１１１ａは図４の（ａ）に示すように、フレキシブル基板１１１を貫通するように形成されている。従って、穴１１１ａが形成されている部分は不連続な部分となるため、コンデンサ１１３の振動伝達を抑制することができる。
【００２７】
それぞれの穴１１１ａは、図４の（ｂ）に示すような凹部１１１ｍとして形成してもよい。この場合、凹部１１１ｍが形成されている部分は不連続な部分とはならないものの、当該部分においてフレキシブル基板１１１が薄くなるため、コンデンサ１１３の振動伝達を抑制することができる。
【００２８】
また、穴１１１ａのように円形の穴ではなく、スリット状の穴を振動伝達抑制領域として形成してもよい。その例を図５に示す。図５の（ａ）は、コンデンサ１１３を囲繞するように、スリット１１１ｂを四箇所に設けている。それぞれのスリット１１１ｂは、コンデンサ１１３の角部に相当する位置から、コンデンサ１１３の辺にそって延びるＬ字状を成すスリットである。
【００２９】
図５の（ｂ）に示すスリット１１１ｃは、隣接する図５の（ａ）のスリット１１１ｂを繋げて、更にコンデンサ１１３が接続されている配線１１５に沿うように各端を伸ばした形状を成すスリットである。スリット１１１ｃは、コンデンサ１１３の長辺全部に対応するように形成されると共に、配線１１５に沿って穴部分が延長された構造となっているので、より効果的にコンデンサ１１３の振動伝達を抑制することができる。
【００３０】
図５の（ｃ）には、スリット１１１ｄ及びスリット１１１ｅを形成した例を示している。スリット１１１ｄは、コンデンサ１１３の角部周りに四箇所設けられている。スリット１１１ｃは隣接するスリット１１１ｄの間であって、コンデンサ１１３の長辺に沿うように二箇所設けられている。
【００３１】
図５ではスリット状の穴を振動伝達抑制領域として設けたけれども、このように幅のある穴ではなく切り込みを振動伝達領域として設けてもよい。図６は切り込みを振動伝達領域として設けた例を示している。図６の（ａ）は、図５の（ａ）に示したスリット１１１ｂと同様の形状で切り込み１１１ｆを四箇所設けた例を示している。
【００３２】
図６の（ｂ）は、図５の（ｂ）に示したスリット１１１ｃと同様の形状で切り込み１１１ｇを二箇所設けた例を示している。図６の（ｃ）は、図５の（ｃ）に示したスリット１１１ｄと同様の形状で切り込み１１１ｈを四箇所に、スリット１１１ｅと同様の形状で切り込み１１１ｉを二箇所に、それぞれ設けた例を示している。
【００３３】
上述した例は、個々のコンデンサ１１３ごとに振動伝達抑制領域を形成するものであるけれども、複数のコンデンサ１１３の集合体を囲繞するように形成してもよい。その例を図７に示す。図７に示す例では、並べて３つ配置されているコンデンサ１１３を囲繞するように、スリット１１１ｊ及びスリット１１１ｋを形成している。
【００３４】
より具体的には、スリット１１１ｊは一対設けられ、最も外側に配置されているコンデンサ１１３の長辺に沿って形成されると共に、その両端がコンデンサ１１３の角を回りこむように形成されている。スリット１１１ｋは、最も外側に配置されているコンデンサ１１３が接続されている配線１１５と、内側のコンデンサ１１３が接続されている配線１１５との間であって、各コンデンサ１１３の短辺に沿うように四箇所設けられている。このようにスリット１１１ｊ及びスリット１１１ｋによって振動伝達抑制領域を形成すると、各コンデンサ１１３の間にはスリットを設けないようにできるので、スペース効率をあげることが可能となる。
【００３５】
上述した本実施形態によれば、積層部品であるコンデンサ１１３を搭載する搭載領域を囲繞するように振動伝達抑制領域としての穴１１１ａ（凹部１１１ｍ、スリット１１１ｂ〜１１１ｅ，１１１ｊ〜１１１ｋ、切り込み１１１ｆ〜１１１ｉ）が形成されているので、コンデンサ１１３に起因する振動の他の領域への伝播を効果的に抑制できる。従って、いわゆる音鳴きといったコンデンサ１１３に起因する雑音を、コンデンサ１１３そのものの変更やコンデンサ１１３の実装位置の変更によらずに効果的に低減することが可能となる。
【００３６】
より具体的には、積層部品であるコンデンサ１１３の圧電性により、交流電圧が印加されると交流電圧に同期してコンデンサ１１３に機械的歪が生じる。その機械的歪がフレキシブル基板１１１に伝達され振動する。本実施形態のように振動伝達抑制領域としての穴１１１ａ（凹部１１１ｍ、スリット１１１ｂ〜１１１ｅ，１１１ｊ〜１１１ｋ、切り込み１１１ｆ〜１１１ｉ）を設けなければ、その振動はフレキシブル基板１１１全体に伝播し、振動周期が可聴音周波数であればフレキシブル基板１１１を音響放射面として雑音を発する。この雑音は、特に音楽プレーヤー２や携帯電話機３の場合に除去すべきものとなる。そこで、振動伝達抑制領域としての穴１１１ａ（凹部１１１ｍ、スリット１１１ｂ〜１１１ｅ，１１１ｊ〜１１１ｋ、切り込み１１１ｆ〜１１１ｉ）が設けられているので、フレキシブル基板１１１全体への振動の伝播が抑制され、雑音の発生を効果的に抑制できる。
【図面の簡単な説明】
【００３７】
【図１】本実施形態である表示ユニットの構成を示す概略平面図である。
【図２】図１の表示ユニットが適用可能な携帯用電子機器の例を示す図である。
【図３】図１のコンデンサ周辺を拡大した図である。
【図４】図３の断面図及び、図３の変形例を示す図である。
【図５】図３の変形例を示す図である。
【図６】図３の変形例を示す図である。
【図７】図３の変形例を示す図である。
【符号の説明】
【００３８】
１０…表示ユニット、１１…回路部、１２…表示部、１１１…フレキシブル基板、１１２…コネクタ、１１３…コンデンサ、１１４…ドライバＩＣ、１２１…表示パネル、１１１ａ…穴。
【図１】
2007053248.tif 000003
【図２】
2007053248.tif 000004
【図３】
2007053248.tif 000005
【図４】
2007053248.tif 000006
【図５】
2007053248.tif 000007
【図６】
2007053248.tif 000008
【図７】
2007053248.tif 000009